(57)【特許請求の範囲】
【請求項１】
マガジンに積み重ねられた印刷シート（２）を取り去るために外側に把持手段を有する排出ドラム（１，２０）と、印刷シートをその開いた側を先にして、収集装置（４８）に対して印刷シートの流れ方向に見て上流に接続されている転送装置（９，１０）に供給する手段とを備えた、印刷シート（２）を馬乗り式に収集するためのフィーダにおいて、
排出ドラム（１，２０）と転送装置（９）、（１０）の間に配置された手段は、多数のポケット状受入れ構造体（５）からなるホイール（１５）により形成されるか、または多数のポケット状受入れ構造体（５）からなるチェン（５０）により形成され、前記ホイールのポケット状受入れ構造体はホイールのボス（３４）と固定連結された後部（２７）と、前記後部（２７）に対して上下動可能にボス（３４）に枢着された前部（２８）とからなり、前記チェンのポケット状受入れ構造体は、チェン（５０）と固定連結された後部と、前記後部に対して上下動可能にチェン（５０）に枢着された前部とからなり、前記手段のポケット状受入れ構造体は折り目を先にして供給される印刷シート（２）を受け入れるために使用され、それからポケット状受入れ構造体（５）内の印刷シート（２）はさらに移送可能であり、印刷シート（２）はさらなる移送後さらに加工するためにポケット状受入れ構造体（５）から取出し可能であり、また前記手段（１５，５０）には、印刷シートの流れ方向に見て前記手段の上流に接続された搬送部材（２２，２６，３６）が形成されていることを特徴とするフィーダ。
【請求項２】
ポケット状受入れ構造体（５）における印刷シート（２）の滞在時間はそれぞれ排出サイクルより実質的に長いことを特徴とする請求項１に記載のフィーダ。
【請求項３】
ポケット状受入れ構造体（５）がホイール（１２）のボス（３４）に対し少なくともほぼ半径方向に延びていることを特徴とする請求項１または２に記載のフィーダ。
【請求項４】
ポケット状受入れ構造体（５）はホイール（１２）の外周に受入れ開口部（３５）を有することを特徴とする請求項３に記載のフィーダ。
【請求項５】
ポケット状受入れ構造体（５）は少なくとも一つの可動壁（２７，２８）を有することを特徴とする請求項１から４までのうちのいずれか一つに記載のフィーダ。
【請求項６】
ポケット状受入れ構造体（５）はそれぞれ印刷シート（２）の導入およびまたは取出しのためにその突出する自由端で開くことを特徴とする請求項１から５までのうちのいずれか一つに記載のフィーダ。
【請求項７】
転送装置（９，１０）がポケット状受入れ構造体（５）の回転運動と同期して印刷シート（２）を捉えかつ転送装置が印刷シートをそれぞれその把持縁（３３）が開くように捉えることを特徴とする請求項１から６までのうちのいずれか一つに記載のフィーダ。
【請求項８】
印刷シート（２）がそれぞれ斜めに下方から、水平にまたは斜め上方からポケット状受入れ構造体（５）に供給されることを特徴とする請求項１から７までのうちのいずれか一つに記載のフィーダ。
【請求項９】
印刷シート（２）がそれぞれ斜めに下方に向かってポケット状受入れ構造体（５）から取り出されることを特徴とする請求項１から８までのうちのいずれか一つに記載のフィーダ。
【請求項１０】
多数の排出ドラム（１，１′、２０）にそれぞれ一つの自己のスタッカ（３）が設けられ、このスタッカでもってポケット状受入れ構造体（５）に同じまたは異なる印刷シート（２）が供給可能であることを特徴とする請求項１から９までのうちのいずれか一つに記載のフィーダ。
【発明の詳細な説明】
【０００１】
【発明の属する技術分野】
本発明は、マガジンに積み重ねられた印刷シートを取り去るために外周に把持手段を有する排出ドラムと、印刷シートをその開いた側を先にして、収集装置に対して印刷シートの流れ方向に見て上流に接続されている転送装置に供給する手段とを備えた、印刷シートを馬乗り式に収集するためのフィーダに関する。
【０００２】
【従来の技術】
この種のフィーダは、外周にグリッパーを有する排出ドラムを備えており、このグリッパーでスタッカから個々の印刷シートが取り出されて、開放ドラムに供給される。排出ドラムで、印刷シートがその閉じられた背部で把持されて、ドラムの外周に配置された固定ポケット状受入れ構造体に供給され、このポケット状受入れ構造体において印刷シートがストッパーに当たって静止する。別の把持手段で印刷シートがその開いた端部で把持されて、ドラムの回転方向と反対にポケット状受入れ構造体から引き出され、そして転送ドラムに供給され、そこで印刷シートが開かれて収集チェン上に置かれる。
【０００３】
このフィーダでは、速度が非常に高いときに、ポケット状受入れ構造体の固定ストッパーに対する印刷シートの正確な衝突がもはや確保されない。なぜなら、ポケット状受入れ構造体における印刷シートがもはや落ちつかないからである。印刷シートがポケット状受入れ構造体に正確に存在しないので、印刷シートをその開いた端部で正確に把持することができず、引き続き転送ドラムで確実に開くことができない。それ故、さらなる効率の増加が制限される。
【０００４】
【発明が解決しようとする課題】
本発明は、いっそう高い効率を可能としかつそれにもかかわらず経済的に製造することができしかも作用確実である、冒頭に述べた種類のフィーダを提供することを課題の基礎とする。
【０００５】
【課題を解決するための手段】
この課題は請求項１に記載の構成により解決される。
【０００６】
本発明によるフィーダでは、より多くのポケット状受入れ構造体を用いているので、印刷シートの実質的にいっそう高い滞在時間が可能である。それ故、印刷シートはポケット状受入れ構造体内で落ちつくために充分な時間を自由に使えかつ必要な場合に正確に方向づけることができる。したがって、方向づけられた印刷シートは、いっそう高い加工速度のときに転送ドラムに正確に供給することができる。
【０００７】
本発明によるフィーダの他の利点は、より多くの排出ドラムを用いて印刷シートを供給できることに見られる。そのとき、この排出ドラムの一つは例えば２：１の運転で多数の人による人手による装入を容易にするために用いることができる。また、より多くのスタッカから種々の印刷シートを制御して供給される選択的な生産も可能である。また、自動的な装入のために排出ドラムの一つを用いることができおよび人手による印刷シートのさらなる挿入のために他の排出ドラムを用いることもできる。
【０００８】
さらに有利な特徴は、従属請求項、次の実施の形態の記載ならびに図面から明らかになる。
【０００９】
【発明の実施の形態】
以下、本発明の実施の形態を詳細に説明する。
【００１０】
図１に示したフィーダ６０は、２つの支承板１２を有する機械フレーム１１を備えている。支承板１２には、排出ドラム１、ポケットホイール１５ならびに二つの転送ドラム９、１０が支承されている。排出ドラム１の上方には、スタッカ３の下側に個々に排出ドラム１で排出される印刷シート２を有するスタッカ３が存在している。印刷シート２は、図２により折り目６を有しかつ反対の開放端部８に把持縁３３を有する。フィーダ６０で、スタッカ３の印刷シート２が個々にそれ自体周知の収集チェン４８または収集サドル上に置かれ、そしてここに示されてない別の加工装置上に、例えばステッチングマシンに供給される。
【００１１】
排出ドラム１は軸１７上に取り付けられたドラム１６であり、その外周に把持手段を有し、これらの把持手段でそれぞれスタッカ３の印刷シート２を折り目６の近くで掴むことができる。これらの把持手段は例えば吸引箱やグリッパである。そのような把持手段は当業者に良く知られており、それ故ここで説明する必要がない。ドラム１６は矢印１８の方向に回転しかつ把持手段により掴まれた印刷シート２はベルト３６と２２の間にまず実質的に垂直に下方に向かって、そしてそれからロール２５の周りをほぼ水平にポケットホイール１５に対して導かれる。印刷シートをベルトに引き渡した後、把持手段はそれぞれ印刷シート２を再び解放する。ベルト３６は、明らかなように、ドラム１６の周りをならびに二つの変向ロール１９と２１の周りを導かれる。無端ベルト３６は、側方にずらされたより多くの部分ベルトからなることができる。ベルト２２は、垂直な支持体２３に支承されている２つのロール２４と２５の周りを導かれる。ベルト２２も側方にずらされた部分ベルトからなることができる。支持体２３の下端にガイドロール２６が枢着されており、このガイドロール２６は印刷シート２を案内するための変向ロール２１と協働する。印刷シート２は第１図においてこれらの両方のドラム２１と２６の間に折り目６を前方にしてほぼ水平にポケットホイール１５の開放したポケット状受入れ構造体５′の中へ導入される。図３はこれを概略的に示す。
【００１２】
ポケットホイール１５は、ボス３４に固定された放射状に延びる多数のポケット状受入れ構造体５を有する。しかしながら、ポケット状受入れ構造体５の放射状の方向づけは強制的ではない。ポケット状受入れ構造体５が半径方向に対して角度を形成する実施も考えられる。図３によれば、ポケット状受入れ構造体５は、ボス３４と固定結合された後部２７ならびに揺動可能な前部２８を有するのが好ましい。前部２８は、例えば図３により、ヒンジ３２を介してボス３４と連結されかつここには図示されてない制御カムを介して複合矢印５２の方向に揺動することができる。図３において、前部２８が後部２７から離れるように回動することにより、ポケット状受入れ構造体５′は、印刷シート２を矢印５３の方向にストッパー３０に向かって挿入できる前方開口部３５を有する。ストッパー３０は種々のフォーマットに適合させるために半径方向に調整可能であるのが好ましい。印刷シート２は、挿入すると、折り目６がストッパー３０に突き当たる。ストッパー３０に対して、後部２７の半径方向外端部に上方に向かって突出する部分２７ａが存在しており、この上方突出端部２７ａは印刷シート２を図２によれば、開放端部８を支える。後部２７は、図２によれば、放射状に延びる多数のアーム５４で形成されている。明らかに、前部２８は平らに形成することができ、かつこれに付設された後部２７には、その端縁の上に、上方に向かって突出する部分２７a が設けられており、この突出する部分２７ａは、ポケット状受入れ構造体５が閉じられたときに印刷シート２をポケット状受入れ構造体５から逃れ去る前に引き止めるのに役立つ。印刷シート２を側方に方向づけるために、図２によれば、側方に例えば固定したまたは前方に／後方に揺動する案内部分３１が配置されており、この案内部分３１は印刷シートを挿入されたときに正確に方向づける。また、二つのそのような案内部分３１を相対する側に配置することもできる。ここでも、種々のフォーマットに適合させるための調整をするのが好ましい。すべてのポケット状受入れ構造体５が同じに形成されるのが好ましい。
【００１３】
ポケットホイール１５は、図５で時計方向に駆動される。すべてのポケット状受入れ構造体５において、前部２８は、印刷シート２の導入後、後部２７に向かって回動され、それとともにポケット状受入れ構造体５が閉じられる。それ故、導入された印刷シート２はポケット状受入れ構造体５に正確に位置決めされて保持され、かつポケットホイール１５をさらに時計方向に回転させたときに、印刷シートのがたつきや騒音がない。印刷シート２は、スタッカ３から排出後ポケット状受入れ構造体５′に導入されるまで、確実に導かれかつ支持される。
【００１４】
導入された印刷シート２は、転送ドラム１０のほぼ八の時計位置で個々にポケット状受入れ構造体５から取り去られる。導入と取り出しの間の印刷シート２の滞在時間は供給サイクルの多数倍である。それ故、滞在時間は比較的大きくかついずれの場合でも印刷シート２をがたつきのない状態に落ちつかせるために充分である。印刷シート２を取り去るために、それぞれ前部２８を後部２７から離れるように回動させることにより、ポケット状受入れ構造体５が転送ドラム９と１０の領域で開かれる。それぞれの印刷シート２の把持はそれぞれ、開放ホイール１０の放射状に延びる肩部７で行われる。例えばここでのみ示した吸い込みヘッド５５またはグリッパで、印刷シート２が把持縁３３に周知の仕方で把持されて両方の転送ドラム９と１０の間に導かれる。このとき、印刷シート２がそれぞれ開放ドラム１０の上方に配置された案内部分５５により導かれる。両方の転送ドラム９および１０が把持された印刷シート２を開いて、これを周知の仕方で収集チェン４８上に置く。
【００１５】
図４に示したフィーダ７０が同様に、矢印４５の方向に時計方向に駆動されるポケットホイール１５を有する。しかしながら、ポケット状受入れ構造体５の装入はここでは排出ドラム２０で斜めに上方に向かって行われる。排出ドラム２０は同様に印刷シート２を、ドラム１６の上方に配置されているスタッカ３から取り去る。スタッカ３から取り去られた印刷シート２はドラム１６の外周にベルト３６により導かれ、ベルト３６は駆動ロール３７、変向ロール３８ならびにプレスロール３９の周りを導かれている。ベルト３６は同様に部分ベルトからなることができる。ロール３９の上方に、駆動ロール５６ならびに変向ロール４１の周りを導かれている別のベルト５７が配置されている。印刷シート２はロール３９とベルト５７の間のベルト３６上に達して、折り目６を前にしてポケット状受入れ構造体５′の中に導入される。ポケットホイール１５の中へ突出する少なくとも一つのアーム４２により、印刷シート２のためにポケット状受入れ構造体５′に上方ストッパーが形成される。このアーム４２は矢印４４の方向にヒンジ４３の周りを揺動可能である。そのような揺動により、種々のフォーマットに適合させるためのストッパーを無段階に調整することができる。同様に、印刷シート２をポケット状受入れ構造体５′の中へ導入したときに側方で心出しする側方部分３１を設けることができる。印刷シート２をポケット状受入れ構造体５′の中へ導入するときに、これは図４に示したように斜めに下方に向かって傾斜した状態で行われる。水平線に対する角度５７はここでは例えばほぼ４０°になる。さらに回転させると、前方部分２８は前述のように回動し、それとともにポケット状受入れ構造体５′が閉じられる。ほぼ八の時計位置でポケット状受入れ構造体５′が再び開かれ、前述のように両方の転送ドラム９および１０で印刷シート５′が取り去られ、開かれそして収集チェン４８上に置かれる。
【００１６】
フィーダ６０と７０において、印刷シート２がそれぞれ単一のスタッカ３から取り去られて、ポケット状受入れ構造体５に供給される。しかしながら、ポケットホイール１５の外周に、二つより多いスタッカ３もおよびそれに応じてより多い排出ドラム１または２０も設けることができる。スタッカ３は同じまたは異なる印刷シート２を有することができる。人手により印刷シートをさらに移送または装入するために一つの排出ドラム１または２０が用いられる実施も考えられる。さらに、より多くの排出ドラムを存在させることにより、多数の人により人手で装入することが可能になる。
【００１７】
図５は、ポケットホイール１５の代わりにポケットチェン５０を有するフィーダ８０を示す。この無端のポケットチェン５０は駆動ホイール５１の周りにならびに変向ホイール５０の周りに導かれている。規則的な間隔を置いて、ポケットチェン５０はポケット状受入れ構造体５を有し、これらのポケット状受入れ構造体は前述したように形成されかつ排出ドラム１および１′で上方から斜めに装入される。装入は、ここでは前に図３により説明したように行われる。印刷シート２を取り去ることは、同様に前述したように転送ドラム９および１０で行われる。このフィーダ８０の場合も、ポケット状受入れ構造体５における印刷シート２の滞在時間はフィーダサイクルの倍数であり、それ故印刷シート２は必要な場合に正確な位置に方向づけることができかつこの印刷シート２を落ちつかせるために充分な時間が存在している。それ故、加工速度が高い場合でも、ポケット状受入れ構造体５に位置決めされて落ちついた印刷シートを転送ドラム９および１０に正確に供給しかつ開くことができる。
【図面の簡単な説明】
【図１】  本発明によるフィーダの概略正面図である。
【図２】  印刷シートが置かれているポケット状受入れ構造体の概略部分図である。
【図３】  ポケット状受入れ構造体への印刷シートの導入を示す概略図である。
【図４】  本発明によるフィーダの別の実施の形態の概略正面図である。
【図５】  本発明によるフィーダの別の実施の形態の概略正面図である。
【符号の説明】
１，１′，２０                排出ドラム
２                            印刷シート
５                            ポケット状受入れ構造体
９，１０                      転送装置
１２                            ポケットホイール
１５                            ポケットホイール
２２，２６，３６                搬送部材
２７，２８                      可動壁
３０，３１，４２                調整可能な手段
３１，４２                      印刷シートを方向づける手段
３３                            把持縁
３５                            開口部
４８                            収集装置
５０                            ポケットチェン
【図１】
0004790101.tif 000002
【図２】
0004790101.tif 000003
【図３】
0004790101.tif 000004
【図４】
0004790101.tif 000005
【図５】
0004790101.tif 000006